(57)【要約】【課題】従来は、シングルシステムを対象としているため、デュアルシステムに適用した場合、移動無線端末装置静止時の無駄なセルサーチにより消費電力が増大したり、２つの移動無線システム共にセルを検出できないことがある。【解決手段】移動無線端末装置は、２Ｇ用制御部と３Ｇ用制御部を有し、３Ｇのセルサーチの周期を決定するときには、２Ｇ用制御部から得られる２Ｇのセルの移り変わりの頻度を示す指標Ｎｒと、２Ｇセルの受信電界強度Ｒｘ＿Ｌｅｖとを取得し、これらにより、本体記憶部１６に記憶されているテーブルを参照して３Ｇのセルサーチ周期Ｔ＿３Ｇを決定する（ステップＳ３、Ｓ４）。指標Ｎｒにより移動無線端末が静止していると判定されるときには３Ｇのセルサーチの周期を長く設定することにより、静止時の無駄なセルサーチを抑制でき、端末が移動していると判定されるときには３Ｇのセルサーチの周期を短く設定する。【選択図】            図３
2004356684.tif 000002
【特許請求の範囲】
【請求項１】
複数の移動通信システムのいずれにも対応可能な移動無線端末装置が、位置登録を行うために最寄りの基地局を検索するセルサーチ方法であって、
前記移動無線端末装置内の前記複数の移動通信システムに別々に対応する複数の制御部のうち、所望の一の移動通信システムでのセルサーチを行う一の制御部以外の他の移動通信システムでのセルサーチを行う他の制御部により得られる所定の情報に基づく該他の移動通信システムでのセルの移り変わりを示す指標と、前記他の制御部で得られる前記他の移動通信システムの基地局からの電波の受信電界レベルとのうち、少なくとも一方を取得する第１のステップと、
前記第１のステップの取得結果に基づき、前記一の制御部による前記所望の一の移動通信システムでのセルサーチ周期を決定する第２のステップと
を含むことを特徴とする移動無線端末装置のセルサーチ方法。
【請求項２】
前記第１のステップは、前記指標を、前記他の移動通信システムで通信中のときは一定時間あたりのハンドオーバーの発生頻度により取得し、前記他の移動通信システムに位置登録が完了しており、該他の移動通信システムでの発信、着信が可能なアイドル状態では一定時間あたりに発生したセル移動の回数により取得し、前記他の移動通信システムで他のオペレータのセルは検出できているが、サービスを受けることのできるセルが検出されていないノーサービス状態では一定時間あたりに発生した検出セル数の変化量により取得し、前記第２のステップは、該指標により前記移動無線端末装置の静止状態が判定されたときには、該指標により前記移動無線端末装置の移動状態が判定されたときに比し、前記所望の一の移動通信システムでのセルサーチ周期を長い値に決定することを特徴とする請求項１記載の移動無線端末装置のセルサーチ方法。
【請求項３】
前記第２のステップは、前記受信電界レベルが悪いときには該受信電界レベルが良好なときに比し、前記所望の一の移動通信システムでのセルサーチ周期を短い値に決定することを特徴とする請求項１記載の移動無線端末装置のセルサーチ方法。
【請求項４】
前記第１のステップは、前記指標を、一定時間あたりに発生した前記他の移動通信システムの検出セルの受信電界レベルの変化量により取得し、前記第２のステップは、該指標により前記移動無線端末装置の静止状態が判定されたときには、該指標により前記移動無線端末装置の移動状態が判定されたときに比し、前記所望の一の移動通信システムでのセルサーチ周期を長い値に決定することを特徴とする請求項１記載の移動無線端末装置のセルサーチ方法。
【請求項５】
前記第２のステップは、複数の前記指標と複数の前記受信電界レベルとをそれぞれ対応付けて前記セルサーチ周期を示すテーブルを、前記第１のステップで取得した前記指標及び受信電界レベルで参照して、前記セルサーチ周期を決定することを特徴とする請求項１乃至３のうちいずれか一項記載の移動無線端末装置のセルサーチ方法。
【請求項６】
前記第２のステップは、前記第１のステップで取得した前記指標及び受信電界レベルを所定の式を用いて演算して、前記セルサーチ周期を決定することを特徴とする請求項１乃至３のうちいずれか一項記載の移動無線端末装置のセルサーチ方法。
【請求項７】
複数の移動通信システムのいずれにも対応可能で、かつ、位置登録を行うために最寄りの基地局を検索するセルサーチの機能を備えた移動無線端末装置であって、
前記複数の移動通信システムに別々に対応する複数の制御部と、
前記複数の制御部に接続され、前記複数の移動通信システムのいずれにも対応しており、いずれかの移動通信システムの基地局との間で双方向の無線通信をする無線部と、
所望の入力情報を入力するための各種のキーなどからなる本体操作部と、
各種の情報を画面に表示する本体表示部と、
各種のデータを格納し、また読み出される本体記憶部と
を有し、前記複数の制御部は、所望の一の移動通信システムでのセルサーチを行う一の制御部以外の他の移動通信システムでのセルサーチを行う他の制御部により得られる所定の情報に基づく該他の移動通信システムでのセルの移り変わりを示す指標と、前記他の制御部で得られる前記他の移動通信システムの基地局からの電波の受信電界レベルとのうち、少なくとも一方を取得する取得手段と、該取得手段の取得結果に基づき、前記一の制御部による前記所望の一の移動通信システムでのセルサーチ周期を決定するセルサーチ決定手段とを有することを特徴とする移動無線端末装置。
【請求項８】
前記取得手段は、前記指標を、前記他の移動通信システムで通信中のときは一定時間あたりのハンドオーバーの発生頻度により取得し、前記他の移動通信システムに位置登録が完了しており、該他の移動通信システムでの発信、着信が可能なアイドル状態では一定時間あたりに発生したセル移動の回数により取得し、前記他の移動通信システムで他のオペレータのセルは検出できているが、サービスを受けることのできるセルが検出されていないノーサービス状態では一定時間あたりに発生した検出セル数の変化量により取得し、前記セルサーチ決定手段は、該指標により自装置の静止状態が判定されたときには、該指標により自装置の移動状態が判定されたときに比し、前記所望の一の移動通信システムでのセルサーチ周期を長い値に決定することを特徴とする請求項７記載の移動無線端末装置。
【請求項９】
前記セルサーチ決定手段は、前記受信電界レベルが悪いときには該受信電界レベルが良好なときに比し、前記所望の一の移動通信システムでのセルサーチ周期を短い値に決定することを特徴とする請求項７記載の移動無線端末装置。
【発明の詳細な説明】
【０００１】
【発明の属する技術分野】
本発明は移動無線端末装置のセルサーチ方法及び移動無線端末装置に係り、特に移動無線端末装置が位置登録を行うために基地局を検索するセルサーチ方法及び移動無線端末装置に関する。
【０００２】
【従来の技術】
携帯電話機等の移動無線端末装置の機能の一つに、位置登録を行うために最寄りの基地局を探す機能（セルサーチ）がある。このセルサーチは、通常、圏外状態で行われる（ここで、本明細書で「圏外状態」とは、基地局からの電波が届いていない電波受信不可能地域に在圏する状態ではなく、基地局からの電波が届いている（電波的には圏内にいる）も、まだセルを発見できていない状態をいう）。
【０００３】
このセルサーチの周期が長いと移動無線端末装置の消費電流は減り、周期が短いと消費電流は増加するという特徴があり、また、セルサーチの周期が長すぎると電波的に圏内に入ってもセルサーチが行われるまでは圏内と認識できないという特徴がある。このように、セルサーチの周期は移動無線端末装置の消費電力と使い勝手に大きく影響を与えるため、セルサーチの周期を最適に制御するセルサーチ方法が重要となっている。
【０００４】
セルサーチの周期を調整するための従来のセルサーチ方法としては、例えば、移動無線端末装置がセルの圏内から圏外へ移行する時は、短い周期でサーチを行い、一定時間セルが発見できない場合はセルサーチの周期を段階的に長くする方法などが挙げられる。
【０００５】
例えば、シングルシステム（１つの無線方式）を対象としたセルサーチ周期を調整する従来のセルサーチ方法としては、シングルシステムの移動無線端末装置において、所定回数のセルサーチを実行する間の報知（ＢＣＣＨ）の更新回数から、その移動無線端末装置が移動しているかどうかを判断し、移動していると判断された場合にはセルサーチ周期を短周期に設定する方法が知られている（例えば、特許文献１参照）。
【０００６】
【特許文献１】
特開２００２−１８６００９号公報（特許請求の範囲、第８−９頁）
【０００７】
【発明が解決しようとする課題】
しかるに、上記の特許文献１記載の従来の移動無線端末装置のセルサーチ方法では、シングルシステムのみを考慮しており、２つ以上の無線方式のデュアルシステムに対応するセルサーチ周期の調整については全く言及しておらず、別の無線方式の圏内から移動情報を入手するといったことについては考慮されていない。このため、上記の従来の移動無線端末装置のセルサーチ方法では、デュアルシステムに適用した場合、移動無線端末装置が別の無線方式の圏外の領域移動の有無から、移動無線端末装置の移動の有無を判断することができず、移動無線端末装置静止時の無駄なセルサーチにより消費電力が増大してしまう。
【０００８】
また、上記の従来の移動無線端末装置のセルサーチ方法では、シングルシステムを対象としているため、例えば、２つの無線方式からなるデュアルシステムのうち一方のシステムの受信電界レベルが悪いときは、もう一方のシステムにおけるセルサーチ周期を短くするといったことができないため、２つのシステムともに圏外となることが生じる。
【０００９】
本発明は以上の点に鑑みなされたもので、移動無線端末装置内の別のシステムの情報から移動情報を入手することにより、別のシステムでセルが検出できていれば移動無線端末装置の移動を判断できる移動無線端末装置のセルサーチ方法及び移動無線端末装置を提供することを目的とする。
【００１０】
また、本発明の他の目的は、静止時の無駄なセルサーチを抑制して消費電力を低減し得る移動無線端末装置のセルサーチ方法及び移動無線端末装置を提供することにある。
【００１１】
更に、本発明の他の目的は、２つのシステムのうち一方のシステムの電界レベルが悪いときは、もう一方のセルサーチ周期を短くし得る移動無線端末装置のセルサーチ方法及び移動無線端末装置を提供することにある。
【００１２】
【課題を解決するための手段】
上記の目的を達成するため、本発明の移動無線端末装置のセルサーチ方法は、複数の移動通信システムのいずれにも対応可能な移動無線端末装置が、位置登録を行うために最寄りの基地局を検索するセルサーチ方法であって、移動無線端末装置内の複数の移動通信システムに別々に対応する複数の制御部のうち、所望の一の移動通信システムでのセルサーチを行う一の制御部以外の他の移動通信システムでのセルサーチを行う他の制御部により得られる所定の情報に基づく他の移動通信システムでのセルの移り変わりを示す指標と、他の制御部で得られる他の移動通信システムの基地局からの電波の受信電界レベルとのうち、少なくとも一方を取得する第１のステップと、第１のステップの取得結果に基づき、一の制御部による所望の一の移動通信システムでのセルサーチ周期を決定する第２のステップとを含むことを特徴とする。
【００１３】
この発明では、他の移動通信システムでのセルサーチを行う他の制御部により得られる所定の情報に基づく他の移動通信システムでのセルの移り変わりを示す指標と、他の制御部で得られる他の移動通信システムの基地局からの電波の受信電界レベルとのうち、少なくとも一方を取得し、その取得結果に基づき、所望の一の移動通信システムでのセルサーチ周期を決定するようにしたため、移動無線端末装置が静止しているか移動しているかに応じて、最適なセルサーチ周期を得ることができる。
【００１４】
ここで、上記の第１のステップは、指標を、他の移動通信システムで通信中のときは一定時間あたりのハンドオーバーの発生頻度により取得し、他の移動通信システムに位置登録が完了しており、他の移動通信システムでの発信、着信が可能なアイドル状態では一定時間あたりに発生したセル移動の回数により取得し、他の移動通信システムで他のオペレータのセルは検出できているが、サービスを受けることのできるセルが検出されていないノーサービス状態では一定時間あたりに発生した検出セル数の変化量により取得し、第２のステップは、指標により移動無線端末装置の静止状態が判定されたときには、指標により移動無線端末装置の移動状態が判定されたときに比し、所望の一の移動通信システムでのセルサーチ周期を長い値に決定してもよい。この発明では、移動無線端末装置が静止しているときはセルサーチの周期を長く設定でき、移動しているときにはセルサーチの周期を長く設定することができる。
【００１５】
また、上記の第２のステップは、受信電界レベルが悪いときには受信電界レベルが良好なときに比し、所望の一の移動通信システムでのセルサーチ周期を短い値に決定するようにしてもよい。この発明では、他の移動通信システムにおける受信電界レベルが悪いときには、所望の移動通信システムでのセルサーチ周期を短い値に設定するので、他の移動通信システムでセルを検出できなくなる前に、所望の移動通信システムのセルサーチを開始することができる。
【００１６】
また、上記の第１のステップは、指標を、一定時間あたりに発生した他の移動通信システムの検出セルの受信電界レベルの変化量により取得し、第２のステップは、指標により移動無線端末装置の静止状態が判定されたときには、指標により移動無線端末装置の移動状態が判定されたときに比し、所望の一の移動通信システムでのセルサーチ周期を長い値に決定するようにしてもよい。
【００１７】
更に、上記の第２のステップは、複数の指標と複数の受信電界レベルとをそれぞれ対応付けてセルサーチ周期を示すテーブルを、第１のステップで取得した指標及び受信電界レベルで参照して、セルサーチ周期を決定するようにしてもよい。
【００１８】
また、更に、上記の第２のステップは、第１のステップで取得した指標及び受信電界レベルを所定の式を用いて演算して、セルサーチ周期を決定するようにしてもよい。
【００１９】
また、上記の目的を達成するため、本発明の移動無線端末装置は、複数の移動通信システムのいずれにも対応可能で、かつ、位置登録を行うために最寄りの基地局を検索するセルサーチの機能を備えた移動無線端末装置であって、複数の移動通信システムに別々に対応する複数の制御部と、複数の制御部に接続され、複数の移動通信システムのいずれにも対応しており、いずれかの移動通信システムの基地局との間で双方向の無線通信をする無線部と、所望の入力情報を入力するための各種のキーなどからなる本体操作部と、各種の情報を画面に表示する本体表示部と、各種のデータを格納し、また読み出される本体記憶部とを有し、複数の制御部は、所望の一の移動通信システムでのセルサーチを行う一の制御部以外の他の移動通信システムでのセルサーチを行う他の制御部により得られる所定の情報に基づく他の移動通信システムでのセルの移り変わりを示す指標と、他の制御部で得られる他の移動通信システムの基地局からの電波の受信電界レベルとのうち、少なくとも一方を取得する取得手段と、取得手段の取得結果に基づき、一の制御部による所望の一の移動通信システムでのセルサーチ周期を決定するセルサーチ決定手段とを有する構成としたものである。
【００２０】
この発明では、他の移動通信システムでのセルサーチを行う他の制御部により得られる所定の情報に基づく他の移動通信システムでのセルの移り変わりを示す指標と、他の制御部で得られる他の移動通信システムの基地局からの電波の受信電界レベルとのうち、少なくとも一方を取得し、その取得結果に基づき、所望の一の移動通信システムでのセルサーチ周期を決定するようにしたため、移動無線端末装置が静止しているか移動しているかに応じて、最適なセルサーチ周期を得ることができる。
【００２１】
【発明の実施の形態】
次に、本発明の実施の形態について図面と共に説明する。図１は本発明になる移動無線端末装置のセルサーチ方法が適用される２つの移動電話システムのエリアを示す図である。同図において、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）方式（２Ｇ；Ｓｅｃｏｎｄ  Ｇｅｎｅｒａｔｉｏｎ）のエリアＩの中に、第３世代携帯電話方式（３Ｇ；Ｔｈｉｒｄ  Ｇｅｎｅｒａｔｉｏｎ）のエリアＩＩが存在している。また、移動無線端末装置の一例としての携帯電話機１及び２はそれぞれ２ＧのエリアＩ内で、かつ、３ＧのエリアＩＩの範囲外の地点Ａ、Ｂにあるものとする。
【００２２】
ここで、携帯電話機１は地点Ａに留まっている（静止状態にある）ものとすると、セルサーチの結果、３Ｇのセルを発見できなかったとすると、再度セルサーチを行っても３Ｇのセルを発見できる可能性はない。地点Ａは３ＧのエリアＩＩの範囲外であるからである。
【００２３】
一方、携帯電話機が移動していれば、セルサーチの結果、３Ｇのセル（基地局の通信可能範囲）を発見できなかったとしても、再度セルサーチを行えばセルを発見できる可能性は高くなる。例えば、図１の携帯電話機２は地点Ｂでのセルサーチの結果、３Ｇのセルが検出できなくても、その後３ＧのエリアＩＩ内の地点Ｃまで移動していれば、セルサーチによって３Ｇのセルを検出できる。
【００２４】
従って、携帯電話機１、２が静止状態にある場合は、上記セルサーチの周期を長く設定し、携帯電話機１、２が移動状態にある場合は、上記セルサーチの周期を短くすることにより、静止状態における無駄なセルサーチを減らすことができる。そこで、本実施の形態では、携帯電話機１、２の移動を判定する指標をもう一方のシステム（ここでは２Ｇ）の制御部から入手し、その情報を基に他方のシステムの制御部により３Ｇのセルサーチ周期を決定することを特徴とする。
【００２５】
ここで、携帯電話機１、２が静止しているかどうかの判断は、２Ｇで通信中であれば２Ｇのハンドオーバーの発生頻度で行う。また、２Ｇがアイドル状態（２Ｇのシステムに携帯電話機１、２の位置登録が完了しており、２Ｇのシステムで発信、着信が可能な状態）であれば、２Ｇでのセル移動（Ｃｅｌｌ  Ｒｅｓｅｌｅｃｔｉｏｎ）の発生頻度で行う。また、２Ｇがノーサービス（Ｎｏ  Ｓｅｒｖｉｃｅ）状態（他のオペレータのセルは検出できているが、サービスを受けることのできるセルが検出されていない状態）の場合は、（主に他オペレータの）２Ｇセルの検出数の変化量で、携帯電話機１、２が移動しているかどうかを判断できる。
【００２６】
更に、本実施の形態では、上記の方法以外に、２Ｇの受信電界レベルによっても３Ｇのセルサーチ周期を変更することを特徴とする。すなわち、携帯電話機１、２の２Ｇの基地局から定期的に送信されている電波の受信電界レベルが悪いときには、２Ｇが圏外になる可能性が高いため３Ｇのセルサーチの周期を短く設定し、２Ｇの受信電界レベルが良いときには、２Ｇが圏外になる可能性が低いため３Ｇのセルサーチの周期を長く設定する。
【００２７】
以上により、本実施の形態では無駄なセルサーチを減らし、携帯電話機１、２の消費電力の削減が可能となる。また、必要なときには携帯電話機１、２のセルサーチの頻度を上げることができるので、速やかにセルを検出することが可能となる。
【００２８】
次に、本発明になる移動無線端末装置の一実施の形態の構成及び動作について説明する。図２は本発明になる移動無線端末装置の一実施の形態のブロック図を示す。同図において、移動無線端末装置は、アンテナ１１ａを介して図示しない基地局との間で双方向の無線通信をするための無線部１１と、ＧＳＭ方式（２Ｇ）用の制御部１２と、第３世代携帯電話方式（３Ｇ）用の制御部１３と、所望の入力情報を入力するための各種のキーなどからなる本体操作部１４と、各種の情報を画面に表示する本体表示部１５と、各種のデータを格納し、また読み出される本体記憶部１６とより構成されている。
【００２９】
無線部１１は、２Ｇと３Ｇの両方のシステムに対応する構成とされている。この実施の形態の移動無線端末装置は、２Ｇと３Ｇの２種類の無線システム（デュアルシステム）に対応している携帯電話機であり、例えば、ＰＨＳとＰＤＣの両方が使える携帯電話機である。なお、図２には本発明に必要な部分のみ図示しており、本発明の動作に関係ない部分は図示を省略してある。
【００３０】
次に、本実施の形態の動作について説明する。まず、２Ｇ用制御部１２から得られる情報を用いて３Ｇ用制御部１３によりセルサーチ周期を決定する方法について、図２のブロック図と図３のフローチャートを併せ参照して説明する。ここで、携帯電話機は３Ｇの圏外状態、すなわち、携帯電話機は３Ｇのエリア内に在圏しており、３Ｇの基地局からの電波が届いている（電波的には圏内にいる）も、まだセルを発見できていない状態とする。また、携帯電話機は２Ｇのエリア内にも在圏しているものとする。
【００３１】
まず、３Ｇ用の制御部１３は３Ｇセルサーチの周期Ｔ＿３Ｇに初期値を設定し（ステップＳ１）、続いてタイマＴｓｅａｒｃｈをスタートする（ステップＳ２）。なお、このタイマＴｓｅａｒｃｈは以下の手順の間も常にカウントアップしており、タイマＴｓｅａｒｃｈのカウント値が、３Ｇセルサーチの周期Ｔ＿３Ｇの値より大きくなった時点で、３Ｇセルサーチを開始するためのタイマである。
【００３２】
次に、３Ｇ用の制御部１３は２Ｇ用の制御部１２から、２Ｇのセルの移り変わりの頻度を現す指標Ｎｒと、２Ｇセルの受信電界強度Ｒｘ＿Ｌｅｖを入手する（ステップＳ３）。ここで、上記の２Ｇのセルの移り変わりの頻度を現す指標Ｎｒは、２Ｇの状態によりそれぞれ制御部１２から得られる下記の情報が用いられる。すなわち、２Ｇ通信中は一定時間（Ｔ１）あたりに発生したハンドオーバーの回数、前記２Ｇアイドル中は一定時間（Ｔ１）あたりに発生したセル移動（Ｃｅｌｌ  Ｒｅｓｅｌｅｃｔｉｏｎ）の回数、前記２Ｇノーサービス状態では一定時間（Ｔ１）あたりに発生した検出セル数の変化量が、上記の指標Ｎｒとして用いられる。
【００３３】
従って、例えば２Ｇノーサービス状態で、一定時間Ｔｌに２Ｇが４回セルサーチを行い、そのとき検出されたセルの数が、それぞれ２→３→１→５だとすると、上記の指標Ｎｒは７（＝｜２−３｜＋｜３−１｜＋｜１−５｜）となる。
【００３４】
続いて、３Ｇ用の制御部１３は上記情報Ｎｒ及びＲｘ＿Ｌｅｖと、本体記憶部１６に予め格納されているテーブルを基に、３Ｇセルサーチ周期Ｔ＿３Ｇを変更する（ステップＳ４）。上記のテーブルは、例えば図４に示すように、ＮｒとＲｘ＿Ｌｅｖとを対応付けて３Ｇセルサーチ周期Ｔ＿３Ｇを示すテーブルであり、このテーブルを上記情報Ｎｒ及びＲｘ＿Ｌｅｖで参照することで、３Ｇセルサーチ周期Ｔ＿３Ｇの値が決定される。例えば、Ｎｒ＝２，Ｒｘ＿Ｌｅｖ＝−３５（ｄＢｍ）とすると、図４から３Ｇセルサーチ周期Ｔ＿３Ｇは５０ｓと決定される。
【００３５】
ここで、２Ｇシステムより入手した上記の指標Ｎｒが０のときには、携帯電話機が静止していると判断され、また、上記の指標Ｎｒが大きい値ほど、携帯電話機が速く移動していると判断され、携帯電話機が静止していると判断したときには、移動しているときに比べて図４のテーブルから分かるように、３Ｇセルサーチの周期Ｔ＿３Ｇを長く設定するので、静止時の無駄な３Ｇセルサーチを抑制でき、消費電力の削減ができる。他方、携帯電話機が移動していると判断した場合は３Ｇセルサーチの周期Ｔ＿３Ｇを静止時よりも短く設定するので、３Ｇセルの検出を早めることができる。
【００３６】
また、上記のテーブルから分かるように、２Ｇの受信電界が悪いときはＲｘ＿Ｌｅｖが低くなり（絶対値が大となり）、このときには３Ｇセルサーチの周期Ｔ＿３Ｇを短く設定することになる。このため、２Ｇが圏外になる前に３Ｇのセルサーチを開始することが可能となり、２Ｇ及び３Ｇ共に圏外となることが減る。
【００３７】
続いて、３Ｇ用の制御部１３は前記タイマＴｓｅａｒｃｈのカウント値が、３ＧセルサーチタイマＴ＿３Ｇの値より大きくなったかどうか判定する（ステップＳ５）。タイマＴｓｅａｒｃｈのカウント値が、３Ｇセルサーチ周期Ｔ＿３Ｇの値以下であるときには、一定時間待機（Ｗａｉｔ）した後（ステップＳ７）、上述したステップＳ３、Ｓ４の処理を繰り返し、再びステップＳ５の判定処理を行う。
【００３８】
一方、ステップＳ５でタイマＴｓｅａｒｃｈのカウント値が、３Ｇセルサーチ周期Ｔ＿３Ｇの値より大きくなったと判定された場合は、３Ｇセルサーチを開始する（ステップＳ６）。そして、制御部１３は、上記の３Ｇセルサーチによりセルを発見できたかどうかを判断する（ステップＳ８）。このステップＳ８での３Ｇセルの発見は、ＣＰＩＣＨ（コモン・パイロット・チャネル）の受信電界レベルが閾値以上となったか否かにより判断する。
【００３９】
セルを発見できなかったときには、前記ステップＳ２に戻り、ステップＳ２のタイマスタート処理からやり直す。他方、ステップＳ８でセルを発見できた場合は、制御部１３は３Ｇの発見できたセルの基地局に対しその携帯電話機に割り当てられている固有のＩＤを基地局に送信して位置登録を開始し、位置登録が成功すれば３Ｇの待ち受け状態へ移行する（ステップＳ９）。
【００４０】
従来は、２Ｇのアイドル状態（３Ｇ圏外）から２Ｇの受信電界が悪化する状態に移行すると、長い３Ｇセルサーチタイマを設定するので、そのタイマ起動中に２Ｇの圏外（２Ｇも３Ｇも圏外状態）となり、その後に３Ｇのセルサーチが開始されて３Ｇのアイドル状態になってしまっていた。
【００４１】
これに対し、本実施の形態では、上記のように２Ｇのアイドル状態（３Ｇ圏外）から２Ｇの受信電界が悪化する状態に移行すると、３Ｇセルサーチタイマの周期が短くされるため、２Ｇが圏外になる前に３Ｇセルサーチが開始されて３Ｇアイドル状態に移行できる。また、本実施の形態によれば、２Ｇの受信電界が良いときに３Ｇセルサーチの周期を長く設定できるので、２Ｇが圏外になる可能性が低いときに、３Ｇセルサーチを抑制でき、消費電力の削減ができる。また、本実施の形態では、全地球測位システム（ＧＰＳ）用受信機などの特殊なハードウェア（ＨＷ）を用いずに携帯電話機（ＵＥ：Ｕｓｅｒ  Ｅｑｕｉｐｍｅｎｔ）の移動判定ができる。
【００４２】
なお、本発明は上記の実施の形態に限定されるものではなく、以下の様々な他の実施の形態も包含するものである。すなわち、上記の実施の形態では、図３のステップＳ４で、本体記憶部１６に記憶されている図４に示したＮｒ，Ｒｘ＿ＬｅｖとＴ＿３Ｇの対応テーブルを参照して３Ｇセルサーチの周期Ｔ＿３Ｇを決定するとしたが、上記のテーブルを用いずに、例えば以下の（１）式又は（２）式（Ｎｒが大きいほど、またＲｘ＿Ｌｅｖが低いほどＴ＿３Ｇが短くなるような式）で３Ｇセルサーチの周期Ｔ＿３Ｇを決定してもよい。
【００４３】
Ｔ＿３Ｇ＝α×Ｎｒ＋β×Ｒｘ＿Ｌｅｖ＋λ          （１）
α：セルの移り変わりに対する重み係数
β：２Ｇの受信電界レベルに対する重み係数
λ：固定値
例えば、Ｎｒを４回、Ｒｘ＿Ｌｅｖを−５０ｄＢｍ、α＝−２０、β＝２、λ＝２００とすると、（１）式により３Ｇセルサーチの周期Ｔ＿３Ｇは、２０（＝−２０×４＋２×（−５０）＋２００）ｓと決定される。
【００４４】
Ｔ＿３Ｇ＝（β×Ｒｘ＿Ｌｅｖ−λ）÷（α×Ｎｒ）      （２）
α：セルの移り変わりに対する重み係数
β：２Ｇの受信電界レベルに対する重み係数
λ：固定値
例えば、上記と同様に、Ｎｒを４回、Ｒｘ＿Ｌｅｖを−５０ｄＢｍ、α＝２、β＝２、λ＝２００とすると、（２）式により３Ｇセルサーチの周期Ｔ＿３Ｇは、１２．５（＝（２×（−５０）＋２００）÷（２×４））ｓと決定される。
【００４５】
また、本発明の更に他の実施の形態として、上記係数α、β、λを２Ｇの状態（通信中、アイドル中、ノーサービス時）毎に用意し、２Ｇの各状態でそれぞれの係数を使い分けてもよい。例えば、２Ｇ通信中はＴ＿３Ｇが大きくなるような係数を使用し、逆に２Ｇがノーサービス時はＴ＿３Ｇが小さくなるような係数を使用する（２Ｇ通信中はそれほど３Ｇサーチを行わなくてもよいが、２Ｇがノーサービスの場合には３Ｇのサーチ頻度を高く設定するほうが良いため）。
【００４６】
この場合、例えば、２Ｇ通信中はα＝−１０、β＝２、λ＝５００とし、２Ｇアイドル中はα＝−２０、β＝３、λ＝３００とし、２Ｇノーサービス中はα＝−２０、β＝３、λ＝２５０とすると、Ｎｒ＝４回、Ｒｘ＿Ｌｅｖ＝−５０ｄＢｍの場合、各状態で（１）式により計算したＴ＿３Ｇは次のようになる。
【００４７】
２Ｇ通信中：３６０ｓ
２Ｇアイドル中：７０ｓ
２Ｇノーサービス中：２０ｓ
また、本体記憶部１６に記憶されている図４に示したＮｒ，Ｒｘ＿ＬｅｖとＴ＿３Ｇの対応テーブルを、２Ｇの各状態でそれぞれ分けて用意してもよい。すなわち、２Ｇ通信中は３Ｇセルサーチ周期Ｔ＿３Ｇが大きくなるようなテーブルを使用し、逆に２Ｇがノーサービス時は３Ｇセルサーチ周期Ｔ＿３Ｇが小さくなるようなテーブルを使用する。
【００４８】
また、図３のステップＳ３で取得する２Ｇのセルの移り変わりの頻度を示す指標Ｎｒは、上記の実施の形態以外の方法で決定してもよい。例えば、Ｎｒを「一定時間（Ｔ１）あたりに発生した検出セルの受信電界レベルの変化量」としてもよい。この場合、一定時間Ｔ１内に２Ｇ検出セルの受信電界レベルが−５０ｄＢｍ→−６０ｄＢｍ→−５０ｄＢｍ→−４５ｄＢｍのように変化したとすると、Ｎｒは２５（＝｜−５０−６０｜＋｜−６０−５０｜＋｜−５０−４５｜）となる。
【００４９】
また、上記の実施の形態では、２Ｇから得られる情報を用いて３Ｇのセルサーチ周期を決定するように説明したが、３Ｇから得られる情報を用いて２Ｇのセルサーチ周期を決定するようにしてもよい。更に、本発明は、２Ｇと３Ｇの２種類のシステムをサポートする携帯電話機に限定されるものではなく、サポートするシステムはそれぞれ（ｎ種）あっても構わない。
【００５０】
例えば、システムＡ，Ｂ，Ｃの３種類をサポートする携帯電話機では、システムＡのサーチ周期を決定する情報として、システムＡ以外のＢ，Ｃそれぞれから得られるＮｒ、Ｒｘ＿Ｌｅｖを組み合わせて用いることができる。組み合せる方法としては、例えば、Ｎｒ＝｛Ｎｒ（システムＢ）＋Ｎｒ（システムＣ）｝÷２の様に、平均をとる方法が考えられる。
【００５１】
更に、移動無線端末装置の構成は図２の構成でなくても構わない。制御部１２及び１３がシステムの区別なく１つであってもよいし、無線部１１がシステム毎に分かれていてもよい。
【００５２】
【発明の効果】
以上説明したように、本発明によれば、他の移動通信システムでのセルサーチを行う他の制御部により得られる所定の情報に基づく他の移動通信システムでのセルの移り変わりを示す指標と、他の制御部で得られる他の移動通信システムの基地局からの電波の受信電界レベルとのうち、少なくとも一方を取得し、その取得結果に基づき、所望の一の移動通信システムでのセルサーチ周期を決定することにより、移動無線端末装置が静止しているか移動しているかに応じて、最適なセルサーチ周期を得るようにしたため、移動無線端末装置が静止しているときにはセルサーチの周期を長く設定することにより、静止時の無駄なセルサーチを抑制でき、これにより消費電力の削減ができ、他方、端末が移動しているときにはセルサーチの周期を短く設定することにより、セルサーチの検出を早めることができる。
【００５３】
また、本発明によれば、他の移動通信システムにおける受信電界レベルが悪いときには、所望の移動通信システムでのセルサーチ周期を短い値に設定することにより、他の移動通信システムでセルを検出できなくなる前に、所望の移動通信システムのセルサーチを開始することができるようにしたため、全部の移動通信システムでセルが同時に検出することができない状態を減らすことができる。
【００５４】
更に、本発明によれば、他の移動通信システムにおける受信電界レベルが良好なときには、所望の移動通信システムでのセルサーチ周期を長い値に設定することにより、他の移動通信システムでセルを検出できなくなる可能性が低い場合に、所望の移動通信システムのセルサーチを抑制することができ、これにより消費電力を削減することができる。
【００５５】
また、更に、本発明によれば、他の移動通信システムでのセルサーチを行う他の制御部により得られる所定の情報に基づく他の移動通信システムでのセルの移り変わりを示す指標に基づき、携帯無線端末装置が静止しているか移動しているかを判断するようにしているため、専用のハードウェアを用いることなく、移動の有無を判定することができる。
【図面の簡単な説明】
【図１】本発明のセルサーチ方法が適用される２つの移動電話システムのエリアを示す図である。
【図２】本発明装置の一実施の形態のブロック図である。
【図３】本発明のセルサーチ方法の一実施の形態のフローチャートである。
【図４】図２の本発明装置により３Ｇセルサーチ周期を得るためのテーブルの一例を示す図である。
【符号の説明】
１、２  携帯電話機
１１  無線部
１２  ２Ｇ用制御部
１３  ３Ｇ用制御部
１４  本体操作部
１５  本体表示部
１６  本体記憶部
【図１】
2004356684.tif 000003
【図２】
2004356684.tif 000004
【図３】
2004356684.tif 000005
【図４】
2004356684.tif 000006